(57)【要約】【課題】録画再生装置に、リモートコントローラーの機能と記録メディアを制御する機能とを持たせることにより、利用者の手元で当該録画再生装置の全ての操作を可能とする。【解決手段】リモートコントローラーの機能と記録メディアを制御する機能とを有するワイヤレスＨＤ録画再生コントローラー１０は、映像コンテンツの再生に係る操作が行われる操作部と、再生に係る操作によって、映像コンテンツを再生する映像コンテンツ再生部と、再生された映像コンテンツを、制御信号として、無線で表示装置に送信する送信処理部とを具備する。【選択図】図１
2011142405.tif 000002
【特許請求の範囲】
【請求項１】
リモートコントローラーの機能と記録メディアを制御する機能とを有する可搬型録画再生装置であって、
映像コンテンツの再生に係る操作が行われる操作部と、
前記操作部に対する、前記再生に係る前記操作によって、前記映像コンテンツを再生する映像コンテンツ再生部と、
前記映像コンテンツ再生部によって再生された前記映像コンテンツを、制御信号として、無線で表示装置に送信する送信処理部とを具備する可搬型録画再生装置。
【請求項２】
前記送信処理部は、前記再生部によって再生された前記映像コンテンツを、制御信号として、圧縮して表示装置に送信する請求項１に記載の可搬型録画再生装置。
【請求項３】
前記映像コンテンツ再生部は、前記記録メディアに保存された前記映像コンテンツを再生する請求項１又は２に記載の可搬型録画再生装置。
【請求項４】
前記映像コンテンツを受信する第１の映像コンテンツ受信部を具備し、
前記映像コンテンツ再生部は、前記第１の映像コンテンツ受信部によって受信された前記映像コンテンツを再生する請求項１乃至３のいずれかに記載の可搬型録画再生装置。
【請求項５】
前記映像コンテンツを受信する第２の映像コンテンツ受信部と、
前記第２の映像コンテンツ受信部を接続する映像コンテンツ接続部とを具備し、
前記映像コンテンツ再生部は、前記第２の映像コンテンツ受信部によって受信された前記映像コンテンツを再生する請求項１乃至３のいずれかに記載の可搬型録画再生装置。
【請求項６】
記録メディアを制御する機能を有する他の機器から、直接又はネットワークを介して、前記映像コンテンツを受信する第３の映像コンテンツ受信部を具備し、
前記映像コンテンツ再生部は、前記第３の映像コンテンツ受信部によって受信された前記映像コンテンツを再生する請求項１乃至３のいずれかに記載の可搬型録画再生装置。
【請求項７】
前記映像コンテンツの録画に係る操作が行われる操作部と、
前記操作部に対する、前記録画に係る操作によって、前記記録メディアに前記映像コンテンツを録画する映像コンテンツ録画部とを具備する請求項１乃至６のいずれかに記載の可搬型録画再生装置。
【発明の詳細な説明】
【技術分野】
【０００１】
本発明は、リモートコントローラーの機能と記録メディアを制御する機能とを有する可搬型録画再生装置に関する。
【背景技術】
【０００２】
近年、ブルーレイディスクやＤＶＤ（Ｄｉｇｉｔａｌ  Ｖｅｒｓａｔｉｌｅ  Ｄｉｓｃ）などの可搬可能な記録メディアやＨＤＤ（Ｈａｒｄ  Ｄｉｓｋ  Ｄｒｉｖｅ）などの内蔵型記録メディアの据え置き型録画再生装置が普及している。このような据え置き型録画再生装置のほぼ全ては、リモートコントローラーによって操作されることが前提となっている。また、当該据え置き型録画再生装置とテレビやモニタなどの表示装置とが、無線によって映像信号を通信するための技術も一般的になってきている。
【０００３】
一方、操作対象の装置は異なるが、リモートコントローラーに、当該リモートコントローラーによって操作される装置の機能の一部を実行させる技術も提案されている（例えば、特許文献１参照）。
【先行技術文献】
【特許文献】
【０００４】
【特許文献１】特開２００２−１０１００号公報
【発明の概要】
【発明が解決しようとする課題】
【０００５】
上述した技術では、まず、本来は、テレビやモニタなどの表示装置が表示する文字放送の内容に係るタイトルのリストが、リモートコントローラーに備えられた表示パネルに表示される。次に、利用者が、タイトルのリストから所望する文字放送に係るタイトルを選択すると、リモートコントローラーに備えられたスピーカーなどによって、文字放送の内容が音声データとして再生される。
【０００６】
上述した技術に係るリモートコントローラーは、当該リモートコントローラーによって操作される装置の機能の一部を実行することができる。しかしながら、上述した技術に係るリモートコントローラーを含むリモートコントローラー全般が、当該リモートコントローラーによって操作される装置に対する操作の全てを、当該リモートコントローラーのみで行うことができるわけではない。例えば、据え置き型録画再生装置については、可搬可能な記録メディアの交換などは、リモートコントローラーを用いた遠隔操作によって行うことはできない。代わりに、利用者が、当該据え置き型録画再生装置を直接扱うことができる位置に移動し、当該据え置き型録画再生装置に対して直接操作を行わなければならない。
【０００７】
上記問題点に鑑み、本発明は、録画再生装置に、リモートコントローラーの機能と記録メディアを制御する機能とを持たせることにより、利用者の手元で当該録画再生装置の全ての操作が可能であることを目的とする。
【課題を解決するための手段】
【０００８】
上述した課題を解決するために、本発明は以下のような特徴を有している。
【０００９】
本発明の特徴は、リモートコントローラーの機能と記録メディアを制御する機能とを有する可搬型録画再生装置（ワイヤレスＨＤ録画再生コントローラー１０）であって、映像コンテンツの再生に係る操作が行われる操作部（操作部５００）と、前記操作部に対する、前記再生に係る前記操作によって、前記映像コンテンツを再生する映像コンテンツ再生部（映像コンテンツ再生部１０３）と、前記映像コンテンツ再生部によって再生された前記映像コンテンツを、制御信号として、無線で表示装置に送信する送信処理部（送信処理部１０５）とを具備することを要旨とする。
【００１０】
このような可搬型録画再生装置によれば、利用者の手元で当該可搬型録画再生装置の全ての操作が可能となる。
【００１１】
本発明の特徴は、前記送信処理部は、前記再生部によって再生された前記映像コンテンツを、制御信号として、圧縮して表示装置に送信することを要旨とする。
【００１２】
本発明の特徴は、前記映像コンテンツ再生部は、前記記録メディアに保存された前記映像コンテンツを再生することを要旨とする。
【００１３】
本発明の特徴は、前記映像コンテンツを受信する第１の映像コンテンツ受信部（チューナー１０００）を具備し、前記映像コンテンツ再生部は、前記第１の映像コンテンツ受信部によって受信された前記映像コンテンツを再生することを要旨とする。
【００１４】
本発明の特徴は、前記映像コンテンツを受信する第２の映像コンテンツ受信部（チューナー１０００）と、前記第２の映像コンテンツ受信部を接続する映像コンテンツ接続部とを具備し、前記映像コンテンツ再生部は、前記第２の映像コンテンツ受信部によって受信された前記映像コンテンツを再生することを要旨とする。
【００１５】
本発明の特徴は、記録メディアを制御する機能を有する他の機器から、直接又はネットワークを介して、前記映像コンテンツを受信する第３の映像コンテンツ受信部（Ｉ／Ｏ  Ｉ／Ｆ６００、通信Ｉ／Ｆ９００）を具備し、前記映像コンテンツ再生部は、前記第３の映像コンテンツ受信部によって受信された前記映像コンテンツを再生することを要旨とする。
【００１６】
本発明の特徴は、前記映像コンテンツの録画に係る操作が行われる操作部（操作部５００）と、前記操作部に対する、前記録画に係る操作によって、前記記録メディアに前記映像コンテンツを録画する映像コンテンツ録画部（映像コンテンツ録画部１０７）とを具備することを要旨とする。
【発明の効果】
【００１７】
本発明によれば、録画再生装置に、リモートコントローラーの機能と記録メディアを制御する機能とを持たせることにより、利用者の手元で当該録画再生装置の全ての操作が可能となる。
【図面の簡単な説明】
【００１８】
【図１】本発明の実施形態に係る通信システムの全体概略構成図である。
【図２】本発明の実施形態に係るワイヤレスＨＤ録画再生コントローラーの構成図である。
【図３】本発明の実施形態に係るワイヤレスＨＤ録画再生コントローラーの第１の動作を示すフローチャートである。
【図４】本発明の実施形態に係るワイヤレスＨＤ録画再生コントローラーの第２の動作を示すフローチャートである。
【図５】本発明の実施形態に係るワイヤレスＨＤ録画再生コントローラーの第３の動作を示すフローチャートである。
【発明を実施するための形態】
【００１９】
次に、図面を参照して、本発明の実施形態を説明する。具体的には、（１）通信システムの全体概略構成、（２）ワイヤレスＨＤ録画再生コントローラーの構成、（３）ワイヤレスＨＤ録画再生コントローラーの動作、（４）作用・効果、（５）その他の実施形態について説明する。以下の実施形態における図面の記載において、同一又は類似の部分には同一又は類似の符号を付している。なお、本実施形態において、後述するワイヤレスＨＤ録画再生コントローラー１０とワイヤレスＨＤテレビ２０とは、６０ＧＨｚ帯の周波数帯を利用し、非圧縮の無線伝送を行うことにより家電製品やＡＶ機器などと通信を行う規格であるワイヤレスＨＤに準拠している。
【００２０】
（１）通信システムの全体概略構成
図１は、本発明の実施形態に係る通信システム１の全体概略構成図である。
【００２１】
図１に示すように、通信システム１は、ワイヤレスＨＤ録画再生コントローラー１０と、ワイヤレスＨＤテレビ２０と、録画再生装置３０と、可搬可能記録メディア４０と、地上デジタル放送放送局５０と、インターネットやＬＡＮ等のネットワーク６０とを含む。
【００２２】
ワイヤレスＨＤ録画再生コントローラー１０は、後述する記憶装置７００から映像コンテンツを取得する。また、ワイヤレスＨＤ録画再生コントローラー１０は、直接接続された又はネットワーク６０を介して、録画再生装置３０から映像コンテンツを受信する。また、ワイヤレスＨＤ録画再生コントローラー１０は、直接接続された可搬可能記録メディア４０から映像コンテンツを取得する。また、ワイヤレスＨＤ録画再生コントローラー１０は、地上デジタル放送放送局５０から映像コンテンツを受信する。次に、ワイヤレスＨＤ録画再生コントローラー１０は、取得又は受信した映像コンテンツを、後述するＨＤエンコーダ３００によってエンコードし、エンコードされた映像コンテンツを、後述するワイヤレスＨＤ部２００を介して、無線によってワイヤレスＨＤテレビ２０に送信する。又は、ワイヤレスＨＤ録画再生コントローラー１０は、ワイヤレスＨＤ録画再生コントローラー１０の外部から取得又は受信した映像コンテンツを、後述する記憶装置７００に録画又は保存する。なお、本実施形態においては、ワイヤレスＨＤ録画再生コントローラー１０は、一般的な据え置き型録画再生装置のリモートコントローラーと同等の大きさを有する。
【００２３】
ワイヤレスＨＤテレビ２０は、無線によって、ワイヤレスＨＤ録画再生コントローラー１０からＨＤエンコードされた映像コンテンツを受信する。次に、ワイヤレスＨＤテレビ２０は、受信された映像コンテンツをＨＤデコーダによってデコードし、デコードされた映像コンテンツを、表示画面に表示する。
【００２４】
録画再生装置３０は、ワイヤレスＨＤ録画再生コントローラー１０に直接接続され又はネットワーク６０を介して、映像コンテンツをワイヤレスＨＤ録画再生コントローラー１０に送信する。なお、録画再生装置３０は、ブルーレイディスクやＤＶＤなどの可搬可能な記録メディアやＨＤＤなどの内蔵型記録メディアの据え置き型録画再生装置と映像コンテンツを配信するメディアサーバとなどを含む。
【００２５】
可搬可能記録メディア４０は、ワイヤレスＨＤ録画再生コントローラー１０に直接接続され、映像コンテンツをワイヤレスＨＤ録画再生コントローラー１０に利用可能とする。なお、可搬可能記録メディア４０は、ＳＤメモリカードとＵＳＢ（Ｕｎｉｖｅｒｓａｌ  Ｓｅｒｉａｌ  Ｂｕｓ）メモリとなどを含む。
【００２６】
地上デジタル放送放送局５０は、デジタル放送を配信する。
【００２７】
（２）ワイヤレスＨＤ録画再生コントローラーの構成
図２は、本発明の実施形態に係るワイヤレスＨＤ録画再生コントローラー１０の構成図である。
【００２８】
ワイヤレスＨＤ録画再生コントローラー１０は、ＣＰＵ１００と、ワイヤレスＨＤ部２００と、ＨＤエンコーダ３００と、コーデック４００と、操作部５００と、Ｉ／Ｏ  Ｉ／Ｆ６００と、記憶装置７００と、メモリ８００と、通信Ｉ／Ｆ９００と、チューナー１０００とを含む。
【００２９】
ＣＰＵ１００は、ワイヤレスＨＤ録画再生コントローラー１０が具備する各種機能を制御する。
【００３０】
ワイヤレスＨＤ部２００は、後述のＨＤエンコーダ３００によってエンコードされた映像コンテンツを、ワイヤレスＨＤテレビ２０に対する制御信号として、無線によってワイヤレスＨＤテレビ２０に送信するためのインターフェースである。
【００３１】
ＨＤエンコーダ３００は、無線通信により家電製品やＡＶ機器などを接続する規格であるワイヤレスＨＤに従って、映像コンテンツをエンコードする。
【００３２】
コーデック４００は、映像コンテンツのエンコード（符号化）とデコード（復号化）とを行う。具体的には、コーデック４００は、動画の非可逆圧縮の規格であるＭＰＥＧ−２やＨ．２６４に従って、後述する記憶装置７００とワイヤレスＨＤ録画再生コントローラー１０に直接接続された可搬可能記録メディア４０とに保存された映像コンテンツの圧縮や伸張を行う。また、コーデック４００は、チューナー１０００が地上デジタル放送放送局５０から受信した映像コンテンツであり、Ｂ−ＣＡＳ方式に基づいて暗号化された映像コンテンツの復号を行う。なお、コーデック４００がエンコード及びデコードできる映像コンテンツに係る規格は、上記ＭＰＥＧ−２、Ｈ．２６４及びＢ−ＣＡＳ方式に限定されない。
【００３３】
操作部５００は、ワイヤレスＨＤ録画再生コントローラー１０自体に設けられたボタン等によって構成され、利用者の操作内容を入力するために用いられる。
【００３４】
Ｉ／Ｏ  Ｉ／Ｆ６００は、録画再生装置３０と可搬可能記録メディア４０とをワイヤレスＨＤ録画再生コントローラー１０に直接接続するためのインターフェースである。また、Ｉ／Ｏ  Ｉ／Ｆ６００は、録画再生装置３０から直接映像コンテンツを受信する。
【００３５】
記憶装置７００は、例えば、ＨＤＤ（Ｈａｒｄ  Ｄｉｓｋ  Ｄｒｉｖｅ）ＳＳＤ（Ｓｏｌｉｄ  Ｓｔａｔｅ  Ｄｒｉｖｅ）によって構成され、ワイヤレスＨＤテレビ２０に送信される映像コンテンツを保存する。
【００３６】
メモリ８００は、例えば、フラッシュメモリやＲＡＭ（Ｒａｎｄａｍ  Ａｃｃｅｓｓ  Ｍｅｍｏｒｙ）によって構成され、ワイヤレスＨＤ録画再生コントローラー１０における制御などに用いられる各種情報を記憶する。
【００３７】
通信Ｉ／Ｆ９００は、ネットワーク６０を介して、録画再生装置３０から映像コンテンツを受信する。なお、本実施形態においては、通信Ｉ／Ｆ９００は有線Ｉ／Ｆであるが無線Ｉ／Ｆであってもよい。
【００３８】
チューナー１０００は、操作部５００を通じて、利用者によって選択された地上デジタル放送放送局５０から、映像コンテンツを受信する。なお、本実施形態においては、チューナー１０００は、ワイヤレスＨＤ録画再生コントローラー１０に内蔵されているが、ワイヤレスＨＤ録画再生コントローラー１０の外部に存在し、ワイヤレスＨＤ録画再生コントローラー１０と接続されていてもよい。また、本実施形態においては、チューナー１０００は、無線信号を受信するが、有線信号を受信するものであってもよい。
【００３９】
ＣＰＵ１００は、映像コンテンツ取得部１０１と、映像コンテンツ再生部１０３と、送信処理部１０５と、映像コンテンツ録画部１０７と、映像コンテンツ保存部１０９とを含む。
【００４０】
映像コンテンツ取得部１０１は、記憶装置７００に保存された映像コンテンツを取得する。また、映像コンテンツ取得部１０１は、Ｉ／Ｏ  Ｉ／Ｆ６００に直接接続された可搬可能記録メディア４０に保存された映像コンテンツを取得する。また、映像コンテンツ取得部１０１は、Ｉ／Ｏ  Ｉ／Ｆ６００が、録画再生装置３０から直接受信した映像コンテンツを取得する。また、映像コンテンツ取得部１０１は、通信Ｉ／Ｆ９００が、ネットワーク６０を介して、録画再生装置３０から受信した映像コンテンツを取得する。また、映像コンテンツ取得部１０１は、チューナー１０００が、操作部５００を通じて、利用者によって選択された地上デジタル放送放送局５０から受信した映像コンテンツを取得する。
【００４１】
映像コンテンツ再生部１０３は、再生するために映像コンテンツ取得部１０１によって取得された映像コンテンツを、コーデック４００を介してデコードし、その後再生を行う。具体的には、映像コンテンツ再生部１０３は、コーデック４００を介して、ＭＰＥＧ−２やＨ．２６４によって圧縮された映像コンテンツを伸張し、その後再生を行う。また、映像コンテンツ再生部１０３は、コーデック４００を介して、Ｂ−ＣＡＳ方式に基づいて暗号化された映像コンテンツの復号を行い、その後再生を行う。なお、映像コンテンツ取得部１０１が、Ｉ／Ｏ  Ｉ／Ｆ６００から取得した映像コンテンツのうち、Ｉ／Ｏ  Ｉ／Ｆ６００が録画再生装置３０から直接受信した映像コンテンツと、映像コンテンツ取得部１０１が通信Ｉ／Ｆ９００から取得した映像コンテンツとに対して何らかのエンコードが行われている場合にのみ、映像コンテンツ再生部１０３は、コーデック４００を介して、当該映像コンテンツに対して適切なデコードを行う。その後、いずれの場合であっても、映像コンテンツ再生部１０３は、再生を行う。
【００４２】
送信処理部１０５は、映像コンテンツ再生部１０３によって再生された映像コンテンツを、ＨＤエンコーダ３００を介して、ワイヤレスＨＤに従ってエンコードする。その後、送信処理部１０５は、エンコードされた映像コンテンツを、ワイヤレスＨＤテレビ２０に対する制御信号として、ワイヤレスＨＤ部２００を介して、無線によってワイヤレスＨＤテレビ２０に送信する。
【００４３】
映像コンテンツ録画部１０７は、録画のために映像コンテンツ取得部１０１が取得した映像コンテンツのうち、チューナー１０００が受信した映像コンテンツに、コーデック４００を介して、Ｂ−ＣＡＳ方式に基づいて暗号化された映像コンテンツに対する復号を行う。その後、コーデック４００を介して、復号された映像コンテンツにＭＰＥＧ−２又はＨ．２６４に従って圧縮を行ったのち、圧縮された映像コンテンツを記憶装置７００に録画する。また、映像コンテンツ録画部１０７は、録画のために映像コンテンツ取得部１０１が取得した映像コンテンツのうち、Ｉ／Ｏ  Ｉ／Ｆ６００が録画再生装置３０から直接受信した映像コンテンツと通信Ｉ／Ｆ９００が受信した映像コンテンツとに対して何らかのエンコードが行われている場合にのみ、コーデック４００を介して、当該映像コンテンツに対して適切なデコードを行う。その後、映像コンテンツ録画部１０７は、いずれの場合であっても、コーデック４００を介して、復号された映像コンテンツにＭＰＥＧ−２又はＨ．２６４に従って圧縮を行ったのち、圧縮された映像コンテンツを記憶装置７００に録画する。なお、映像コンテンツ録画部１０７は、記憶装置７００の代わりに、圧縮された映像コンテンツを、Ｉ／Ｏ  Ｉ／Ｆ６００に直接接続された可搬可能記録メディア４０に録画してもよい。
【００４４】
映像コンテンツ保存部１０９は、映像コンテンツ取得部１０１が、保存のために取得した、Ｉ／Ｏ  Ｉ／Ｆ６００に直接接続された可搬可能記録メディア４０に保存された映像コンテンツを、ＭＰＥＧ−２又はＨ．２６４に従って圧縮された状態のまま、記憶装置７００に保存する。なお、映像コンテンツ保存部１０９は、映像コンテンツ取得部１０１が、保存のために取得した、記憶装置７００に保存された映像コンテンツを、ＭＰＥＧ−２又はＨ．２６４に従って圧縮された状態のまま、Ｉ／Ｏ  Ｉ／Ｆ６００に直接接続された可搬可能記録メディア４０に保存してもよい。
【００４５】
（３）ワイヤレスＨＤ録画再生コントローラーの動作
次に、ワイヤレスＨＤ録画再生コントローラー１０の動作を説明する。図３乃至図５は、ワイヤレスＨＤ録画再生コントローラー１０の動作を示すフローチャートである。
【００４６】
まず、図３を用いて、ワイヤレスＨＤ録画再生コントローラー１０が、映像コンテンツを再生する動作について説明する。
【００４７】
ステップＳ１０１において、映像コンテンツ取得部１０１は、記憶装置７００に保存された映像コンテンツを取得する。又は、映像コンテンツ取得部１０１は、Ｉ／Ｏ  Ｉ／Ｆ６００に直接接続された可搬可能記録メディア４０に保存された映像コンテンツを取得する。又は、映像コンテンツ取得部１０１は、Ｉ／Ｏ  Ｉ／Ｆ６００が、録画再生装置３０から直接受信した映像コンテンツを取得する。又は、映像コンテンツ取得部１０１は、通信Ｉ／Ｆ９００が、ネットワーク６０を介して、録画再生装置３０から受信した映像コンテンツを取得する。又は、映像コンテンツ取得部１０１は、チューナー１０００が、操作部５００を通じて、利用者によって選択された地上デジタル放送放送局５０から受信した映像コンテンツを取得する。
【００４８】
ステップＳ１０３において、映像コンテンツ再生部１０３は、映像コンテンツ取得部１０１によって取得された映像コンテンツを、コーデック４００を介してデコードし、その後再生を行う。具体的には、映像コンテンツ再生部１０３は、コーデック４００を介して、ＭＰＥＧ−２やＨ．２６４によって圧縮された映像コンテンツを伸張し、その後再生を行う。又は、映像コンテンツ再生部１０３は、コーデック４００を介して、Ｂ−ＣＡＳ方式に基づいて暗号化された映像コンテンツの復号を行い、その後再生を行う。なお、映像コンテンツ取得部１０１が、Ｉ／Ｏ  Ｉ／Ｆ６００から取得した映像コンテンツのうち、Ｉ／Ｏ  Ｉ／Ｆ６００が録画再生装置３０から直接受信した映像コンテンツと、映像コンテンツ取得部１０１が通信Ｉ／Ｆ９００から取得した映像コンテンツとに対して何らかのエンコードが行われている場合にのみ、映像コンテンツ再生部１０３は、コーデック４００を介して、当該映像コンテンツに対して適切なデコードを行う。その後、いずれの場合であっても、映像コンテンツ再生部１０３は、再生を行う。
【００４９】
ステップＳ１０５において、送信処理部１０５は、映像コンテンツ再生部１０３によって再生された映像コンテンツを、ＨＤエンコーダ３００を介して、ワイヤレスＨＤに従ってエンコードする。
【００５０】
ステップＳ１０７において、送信処理部１０５は、エンコードされた映像コンテンツを、ワイヤレスＨＤテレビ２０に対する制御信号として、ワイヤレスＨＤ部２００を介して、無線によってワイヤレスＨＤテレビ２０に送信する。
【００５１】
次に図４を用いて、ワイヤレスＨＤ録画再生コントローラー１０が、映像コンテンツを録画する動作について説明する。
【００５２】
ステップＳ２０１において、映像コンテンツ取得部１０１は、Ｉ／Ｏ  Ｉ／Ｆ６００が、録画再生装置３０から直接受信した映像コンテンツを取得する。又は、映像コンテンツ取得部１０１は、通信Ｉ／Ｆ９００が、ネットワーク６０を介して、録画再生装置３０から受信した映像コンテンツを取得する。又は、映像コンテンツ取得部１０１は、チューナー１０００が、操作部５００を通じて、利用者によって選択された地上デジタル放送放送局５０から受信した映像コンテンツを取得する。
【００５３】
ステップＳ２０３において、映像コンテンツ録画部１０７は、映像コンテンツ取得部１０１が取得した映像コンテンツのうち、チューナー１０００が受信した映像コンテンツに、コーデック４００を介して、Ｂ−ＣＡＳ方式に基づいて暗号化された映像コンテンツに対する復号を行う。その後、コーデック４００を介して、復号された映像コンテンツにＭＰＥＧ−２又はＨ．２６４に従って圧縮を行ったのち、圧縮された映像コンテンツを記憶装置７００に録画する。また、映像コンテンツ録画部１０７は、映像コンテンツ取得部１０１が取得した映像コンテンツのうち、Ｉ／Ｏ  Ｉ／Ｆ６００が録画再生装置３０から直接受信した映像コンテンツと通信Ｉ／Ｆ９００が受信した映像コンテンツとに対して何らかのエンコードが行われている場合にのみ、コーデック４００を介して、当該映像コンテンツに対して適切なデコードを行う。その後、映像コンテンツ録画部１０７は、いずれの場合であっても、コーデック４００を介して、復号された映像コンテンツにＭＰＥＧ−２又はＨ．２６４に従って圧縮を行ったのち、圧縮された映像コンテンツを記憶装置７００に録画する。
【００５４】
次に図５を用いて、ワイヤレスＨＤ録画再生コントローラー１０が、映像コンテンツを保存する動作について説明する。
【００５５】
ステップＳ３０１において、映像コンテンツ取得部１０１は、Ｉ／Ｏ  Ｉ／Ｆ６００に直接接続された可搬可能記録メディア４０に保存された映像コンテンツを取得する。
【００５６】
ステップＳ３０３において、映像コンテンツ保存部１０９は、映像コンテンツ取得部１０１が取得した、Ｉ／Ｏ  Ｉ／Ｆ６００に直接接続された可搬可能記録メディア４０に保存された映像コンテンツを、ＭＰＥＧ−２又はＨ．２６４に従って圧縮された状態のまま、記憶装置７００に保存する。
【００５７】
（４）作用・効果
本発明の実施形態において、ワイヤレスＨＤ録画再生コントローラー１０は、ワイヤレスＨＤに従ってエンコードされた映像コンテンツを、ワイヤレスＨＤテレビ２０に対し、無線によって、当該映像コンテンツを表示させるための制御信号として送信する。よって、ワイヤレスＨＤ録画再生コントローラー１０は、このリモートコントローラーに係る機能と記録メディアを制御する機能とを有するように構成されている。
【００５８】
また、本発明の実施形態において、ワイヤレスＨＤ録画再生コントローラー１０は、一般的な据え置き型録画再生装置のリモートコントローラーと同等の大きさを有する。
【００５９】
このようなワイヤレスＨＤ録画再生コントローラー１０によれば、利用者の手元で当該ワイヤレスＨＤ録画再生コントローラー１０の全ての操作が可能となる。
【００６０】
また、このようなワイヤレスＨＤ録画再生コントローラー１０によれば、リモートコントローラー自体が必要ないため、製造コスト等の削減が可能となる。
【００６１】
また、このようなワイヤレスＨＤ録画再生コントローラー１０によれば、ワイヤレスＨＤ録画再生コントローラー１０の小型化による省スペースを期待できる。
【００６２】
また、このようなワイヤレスＨＤ録画再生コントローラー１０によれば、家族の構成員のそれぞれが、異なる映像コンテンツが格納された専用のワイヤレスＨＤ録画再生コントローラー１０を所有することが可能となる。
【００６３】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６４】
上述した実施形態では、ワイヤレスＨＤに従って、ワイヤレスＨＤ録画再生コントローラー１０とワイヤレスＨＤテレビ２０とが映像コンテンツの送受信を行う。
【００６５】
一方、当該ワイヤレスＨＤの６０ＧＨｚ帯の周波数帯を利用した無線伝送の標準規格としてＩＥＥＥ８０２．１５．３ｃ及びＩＥＥＥ８０２．１１．ａｄがあり、これらに従って映像コンテンツの送受信が行われてもよい。
【００６６】
また、無線機器間の相互接続性等の通信規格であるＷｉ−Ｆｉ（利用周波数帯が５ＧＨｚ帯である８０２．１１ａや８０２．１１ｎと、利用周波数帯が２．４ＧＨｚ帯である８０２．１１ｂや８０２．１１ｇや８０２．１１ｎとを含む）に従って映像コンテンツの送受信が行われてもよい。
【００６７】
また、５ＧＨｚ帯の周波数帯で高品位の映像コンテンツの短距離無線通信を行うための技術であるＷＨＤＩ（Ｗｉｒｅｌｅｓｓ  Ｈｏｍｅ  Ｄｉｇｉｔａｌ  Ｉｎｔｅｒｆａｃｅ）に従って映像コンテンツの送受信が行われてもよい。
【００６８】
また、データを数ＧＨｚの極めて広い周波数帯に拡散して送受信を行う無線通信方式であるＵＷＢ（Ｕｌｔｒａ  Ｗｉｄｅ  Ｂａｎｄ）を用いた、主に家庭用の電気機器やＡＶ機器向けのデジタル映像及び音声の無線による入出力インターフェース規格であるワイヤレスＨＤＭＩ（Ｈｉｇｈ−Ｄｅｆｉｎｉｓｉｏｎ  Ｍｕｌｔｉｍｅｄｉａ  Ｉｎｔｅｒｆａｃｅ）に従って映像コンテンツの送受信が行われてもよい。
【００６９】
また、上述した実施形態では、ワイヤレスＨＤ録画再生コントローラー１０とワイヤレスＨＤテレビ２０との映像コンテンツの送受信において、当該映像コンテンツの圧縮は行われていないが、圧縮した映像コンテンツによって、ワイヤレスＨＤ録画再生コントローラー１０とワイヤレスＨＤテレビ２０との送受信が行われてもよい。
【００７０】
また、上述した実施形態では、ワイヤレスＨＤ録画再生コントローラー１０は、一般的な据え置き型録画再生装置のリモートコントローラーと同等の大きさを有するが、ワイヤレスＨＤ録画再生コントローラー１０は、当該リモートコントローラーより小さくてもよい。
【００７１】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００７２】
本発明の可搬型録画再生装置は、録画再生装置に、リモートコントローラーの機能と記録メディアを制御する機能とを持たせることにより、利用者の手元で当該録画再生装置の全ての操作が可能であり、可搬型録画再生装置として有用である。
【符号の説明】
【００７３】
１０…ワイヤレスＨＤ録画再生コントローラー、２０…ワイヤレスＨＤテレビ、３０…録画再生装置、４０…可搬可能記録メディア、５０…地上デジタル放送放送局、６０…ネットワーク、１００…ＣＰＵ、１０１…映像コンテンツ取得部、１０３…映像コンテンツ再生部、１０５…送信処理部、１０７…映像コンテンツ録画部、１０９…映像コンテンツ保存部、２００…ワイヤレスＨＤ部、３００…ＨＤエンコーダ、４００…コーデック、５００…操作部、６００…Ｉ／Ｏ  Ｉ／Ｆ、７００…記憶装置、８００…メモリ、９００…通信Ｉ／Ｆ、１０００…チューナー
【図１】
2011142405.tif 000003
【図２】
2011142405.tif 000004
【図３】
2011142405.tif 000005
【図４】
2011142405.tif 000006
【図５】
2011142405.tif 000007